(57)【特許請求の範囲】
【請求項１】
舷側から突出して船回りに配置された複数の竿部材にそれぞれ取付けられた複数の漁灯の点灯及び消灯を制御するコンピュータ制御部を備えた漁灯制御システムであって、前記コンピュータ制御部は、前記複数の竿部材に対応してあらかじめ設定された竿番号を用いて点灯動作又は消灯動作を開始すべき漁灯の竿部材を指定する入力を行うと共に、前記竿番号を用いた点灯動作又は消灯動作を終了すべき漁灯の竿部材を指定する入力を行う入力手段と、動作開始指示があった際に、前記入力された開始竿番号の漁灯から前記入力された終了竿番号の漁灯まで、自動的に順次点灯又は順次消灯する指示を行う点灯又は消灯指示手段とを備えていることを特徴とする漁灯制御システム。
【請求項２】
前記コンピュータ制御部は、前記複数の竿部材に対応してあらかじめ設定された竿番号を用いた点灯動作又は消灯動作を開始すべき漁灯の竿部材を指定する入力があった際に、該開始竿番号を記憶する開始竿番号記憶手段と、前記竿番号を用いた点灯動作又は消灯動作を終了すべき漁灯の竿部材を指定する入力があった際に、該終了竿番号を記憶する終了竿番号記憶手段とをさらに備えており、前記点灯又は消灯指示手段は、動作開始指示があった際に、前記記憶されている開始竿番号の漁灯から前記記憶されている終了竿番号の漁灯まで、自動的に順次点灯又は順次消灯する指示を行うように構成されていることを特徴とする請求項１に記載の漁灯制御システム。
【請求項３】
舷側から突出して船回りに配置された複数の竿部材にそれぞれ取付けられた複数の漁灯の点灯及び消灯を制御するコンピュータ制御部を備えた漁灯制御システムであって、前記コンピュータ制御部は、前記複数の竿部材に対応してあらかじめ設定された竿番号を用いた点灯動作又は消灯動作を開始すべき漁灯の竿部材を指定する入力があった際に、該開始竿番号を記憶する開始竿番号記憶手段と、前記竿番号を用いた点灯動作又は消灯動作を終了すべき漁灯の竿部材を指定する入力があった際に、該終了竿番号を記憶する終了竿番号記憶手段と、動作開始指示があった際に、前記記憶されている開始竿番号の漁灯から前記記憶されている終了竿番号の漁灯まで、自動的に順次点灯又は順次消灯する指示を行う点灯又は消灯指示手段とを備えていることを特徴とする漁灯制御システム。
【請求項４】
前記コンピュータ制御部は、前記漁灯の点灯時間間隔又は消灯時間間隔を指定する入力があった際に、該点灯時間間隔又は消灯時間間隔を記憶する時間間隔記憶手段をさらに備えており、前記点灯又は消灯指示手段は、動作開始指示があった際に、前記記憶されている開始竿番号の漁灯から前記記憶されている終了竿番号の漁灯まで、前記記憶されている点灯時間間隔又は消灯時間間隔で自動的に順次点灯又は順次消灯する指示を行うように構成されていることを特徴とする請求項２又は３に記載の漁灯制御システム。
【請求項５】
前記終了竿番号記憶手段は、前記竿番号を用いた右回りの点灯動作又は消灯動作を終了すべき漁灯の竿部材を指定する入力があった際に、該右回り終了竿番号を記憶する右回り終了竿番号記憶手段と、前記竿番号を用いた左回りの点灯動作又は消灯動作を終了すべき漁灯の竿部材を指定する入力があった際に、該左回り終了竿番号を記憶する左回り終了竿番号記憶手段とを備えており、前記点灯又は消灯指示手段は、動作開始指示があった際に、前記記憶されている開始竿番号の漁灯から前記記憶されている右回り終了竿番号の漁灯まで、右回りで自動的に順次点灯又は順次消灯する指示を行う右回り点灯又は消灯指示手段と、動作開始指示があった際に、前記記憶されている開始竿番号の漁灯から前記記憶されている左回り終了竿番号の漁灯まで、左回りで自動的に順次点灯又は順次消灯する指示を行う左回り点灯又は消灯指示手段とを備えていることを特徴とする請求項２又は３に記載の漁灯制御システム。
【請求項６】
前記コンピュータ制御部は、右回りの点灯動作又は消灯動作における前記漁灯の前記点灯時間間隔又は消灯時間間隔を指定する入力があった際に、該右回り点灯時間間隔又は消灯時間間隔を記憶する右回り時間間隔記憶手段と、左回りの点灯動作又は消灯動作における前記漁灯の前記点灯時間間隔又は消灯時間間隔を指定する入力があった際に、該左回り点灯時間間隔又は消灯時間間隔を記憶する左回り時間間隔記憶手段とをさらに備えており、前記右回り点灯又は消灯指示手段は、動作開始指示があった際に、前記記憶されている開始竿番号の漁灯から前記記憶されている右回り終了竿番号の漁灯まで、前記記憶されている右回り点灯時間間隔又は消灯時間間隔で右回りに自動的に順次点灯又は順次消灯する指示を行うように構成されており、前記左回り点灯又は消灯指示手段は、動作開始指示があった際に、前記記憶されている開始竿番号の漁灯から前記記憶されている左回り終了竿番号の漁灯まで、前記記憶されている左回り点灯時間間隔又は消灯時間間隔で左回りに自動的に順次点灯又は順次消灯する指示を行うように構成されていることを特徴とする請求項５に記載の漁灯制御システム。
【請求項７】
前記コンピュータ制御部は、サイドローラエリアにおける前記漁灯の点灯動作又は消灯動作の方向を指定する入力があった際に、該サイドローラエリア点灯動作又は消灯動作の方向を記憶するサイドローラエリア点灯方向又は消灯方向記憶手段をさらに備えており、前記点灯又は消灯指示手段は、該サイドローラエリアにおける前記漁灯について、前記記憶されているサイドローラエリア点灯動作又は消灯動作の方向に基づいて、自動的に順次点灯又は順次消灯する指示を行うように構成されていることを特徴とする請求項２から６のいずれか１項に記載の漁灯制御システム。
【請求項８】
前記コンピュータ制御部は、サイドローラエリアにおける前記漁灯の点灯時間間隔又は消灯時間間隔を指定する入力があった際に、該サイドローラエリア点灯時間間隔又は消灯時間間隔を記憶するサイドローラエリア時間間隔記憶手段をさらに備えており、前記点灯又は消灯指示手段は、該サイドローラエリアにおける前記漁灯について、前記記憶されているサイドローラエリア点灯時間間隔又は消灯時間間隔で自動的に順次点灯又は順次消灯する指示を行うように構成されていることを特徴とする請求項２から７のいずれか１項に記載の漁灯制御システム。
【発明の詳細な説明】
【技術分野】
【０００１】
本発明は、漁船に設置された多数の竿に取付けられた漁灯を制御することによってサンマやイカ等の魚類を誘導して効率良く漁獲するための漁灯制御システムに関する。
【背景技術】
【０００２】
特許文献１には、メタルハライドランプを用いた集漁灯を、一斉点灯した後、順次消灯し、次いで一斉点灯した後、順次消灯することを繰り返すことによりサンマ漁を行う集漁灯制御方法が開示されている。
【先行技術文献】
【特許文献】
【０００３】
【特許文献１】特公平０３−４０９２０号公報
【発明の概要】
【発明が解決しようとする課題】
【０００４】
特許文献１に記載の制御方法では、複数のリレーを手動操作して集漁灯の点灯及び消灯制御を行っているが、制御すべき灯数が多くなると、これら集漁灯を手動で正確に制御することが困難となる。特に特許文献１では、メタルハライドランプの再点灯における遅延時間の問題を解消するため、各灯具のランプを２組に分け、一方の組のランプを点灯して消灯した後、他方の組のランプを点灯させるという複雑な制御を行っているため、この傾向は大きい。
【０００５】
さらに、特許文献１に記載の制御方法は、手動でタイミング操作するものであることから、消灯間隔や点灯間隔を一定にすることは難しく、また、点灯又は消灯の順次制御をどの灯具から始めてどの灯具で終わるか等の操作も容易ではなく、灯数が大幅に増大するとこれら操作は非常に複雑となり、ほとんど不可能となる。
【０００６】
従って本発明の目的は、灯数が大幅に増大した場合にも正確な順次点灯又は消灯制御を容易に行うことができる漁灯制御システムを提供することにある。
【０００７】
本発明の他の目的は、灯数が大幅に増大した場合にも点灯間隔又は消灯間隔を精度良くかつ容易に制御することができる漁灯制御システムを提供することにある。
【課題を解決するための手段】
【０００８】
本発明によれば、舷側から突出して船回りに配置された複数の竿部材にそれぞれ取付けられた複数の漁灯の点灯及び消灯を制御するコンピュータ制御部を備えた漁灯制御システムが提供される。このコンピュータ制御部は、複数の竿部材に対応してあらかじめ設定された竿番号を用いて点灯動作又は消灯動作を開始すべき漁灯の竿部材を指定する入力を行うと共に、竿番号を用いた点灯動作又は消灯動作を終了すべき漁灯の竿部材を指定する入力を行う入力手段と、動作開始指示があった際に、入力された開始竿番号の漁灯から入力された終了竿番号の漁灯まで、自動的に順次点灯又は順次消灯する指示を行う点灯又は消灯指示手段とを備えている。
【０００９】
竿部材には竿番号があらかじめ設定される。この竿番号により点灯動作又は消灯動作を開始すべき漁灯の竿部材を指定する入力がなされ、さらに、この竿番号により点灯動作又は消灯動作を終了すべき漁灯の竿部材を指定する入力がなされる。動作開始指示があると、入力された開始竿番号の漁灯から入力された終了竿番号の漁灯まで、自動的に順次点灯又は順次消灯する動作が指示される。このように、入力された開始竿番号及び終了竿番号に基づいて自動的に順次点灯又は順次消灯する動作が行われるので、漁灯の灯数が大幅に増大した場合にも、正確な順次点灯又は消灯制御を容易に行うことができる。
【００１０】
コンピュータ制御部は、複数の竿部材に対応してあらかじめ設定された竿番号を用いた点灯動作又は消灯動作を開始すべき漁灯の竿部材を指定する入力があった際に、開始竿番号を記憶する開始竿番号記憶手段と、竿番号を用いた点灯動作又は消灯動作を終了すべき漁灯の竿部材を指定する入力があった際に、終了竿番号を記憶する終了竿番号記憶手段とをさらに備えており、点灯又は消灯指示手段は、動作開始指示があった際に、記憶されている開始竿番号の漁灯から記憶されている終了竿番号の漁灯まで、自動的に順次点灯又は順次消灯する指示を行うように構成されていることが好ましい。
【００１１】
本発明によれば、さらに、舷側から突出して船回りに配置された複数の竿部材にそれぞれ取付けられた複数の漁灯の点灯及び消灯を制御するコンピュータ制御部を備えた漁灯制御システムが提供される。このコンピュータ制御部は、複数の竿部材に対応してあらかじめ設定された竿番号を用いた点灯動作又は消灯動作を開始すべき漁灯の竿部材を指定する入力があった際に、開始竿番号を記憶する開始竿番号記憶手段と、竿番号を用いた点灯動作又は消灯動作を終了すべき漁灯の竿部材を指定する入力があった際に、終了竿番号を記憶する終了竿番号記憶手段と、動作開始指示があった際に、記憶されている開始竿番号の漁灯から記憶されている終了竿番号の漁灯まで、自動的に順次点灯又は順次消灯する指示を行う点灯又は消灯指示手段とを備えている。
【００１２】
竿部材には竿番号があらかじめ設定される。この竿番号により点灯動作又は消灯動作を開始すべき漁灯の竿部材を指定する入力がなされると、開始竿番号が記憶される。さらに、この竿番号により点灯動作又は消灯動作を終了すべき漁灯の竿部材を指定する入力がなされると、終了竿番号が記憶される。動作開始指示があると、記憶されている開始竿番号の漁灯から記憶されている終了竿番号の漁灯まで、自動的に順次点灯又は順次消灯する動作が指示される。このように、記憶されている開始竿番号及び終了竿番号に基づいて自動的に順次点灯又は順次消灯する動作が行われるので、漁灯の灯数が大幅に増大した場合にも、正確な順次点灯又は消灯制御を容易に行うことができる。
【００１３】
コンピュータ制御部は、漁灯の点灯時間間隔又は消灯時間間隔を指定する入力があった際に、点灯時間間隔又は消灯時間間隔を記憶する時間間隔記憶手段をさらに備えており、点灯又は消灯指示手段は、動作開始指示があった際に、記憶されている開始竿番号の漁灯から記憶されている終了竿番号の漁灯まで、記憶されている点灯時間間隔又は消灯時間間隔で自動的に順次点灯又は順次消灯する指示を行うように構成されていることが好ましい。このように、記憶されている点灯時間間隔又は消灯時間間隔で、自動的に順次点灯又は順次消灯されるので、漁灯の灯数が大幅に増大した場合にも、点灯間隔又は消灯間隔を精度良くかつ容易に制御することができる。
【００１４】
終了竿番号記憶手段は、竿番号を用いた右回りの点灯動作又は消灯動作を終了すべき漁灯の竿部材を指定する入力があった際に、右回り終了竿番号を記憶する右回り終了竿番号記憶手段と、竿番号を用いた左回りの点灯動作又は消灯動作を終了すべき漁灯の竿部材を指定する入力があった際に、左回り終了竿番号を記憶する左回り終了竿番号記憶手段とを備えており、点灯又は消灯指示手段は、動作開始指示があった際に、記憶されている開始竿番号の漁灯から記憶されている右回り終了竿番号の漁灯まで、右回りで自動的に順次点灯又は順次消灯する指示を行う右回り点灯又は消灯指示手段と、動作開始指示があった際に、記憶されている開始竿番号の漁灯から記憶されている左回り終了竿番号の漁灯まで、左回りで自動的に順次点灯又は順次消灯する指示を行う左回り点灯又は消灯指示手段とを備えていることも好ましい。このように、右回り終了竿番号と左回り終了竿番号とが別個に設定でき、右回りでは開始竿番号の漁灯から右回り終了竿番号の漁灯まで、右回りで自動的に順次点灯又は順次消灯され、左回りでは同様に開始竿番号の漁灯から左回り終了竿番号の漁灯まで、左回りで自動的に順次点灯又は順次消灯されるので、順次点灯又は順次消灯を右回り及び左回りそれぞれ独立してより詳細に制御することができる。
【００１５】
この場合、コンピュータ制御部は、右回りの点灯動作又は消灯動作における漁灯の点灯時間間隔又は消灯時間間隔を指定する入力があった際に、右回り点灯時間間隔又は消灯時間間隔を記憶する右回り時間間隔記憶手段と、左回りの点灯動作又は消灯動作における漁灯の点灯時間間隔又は消灯時間間隔を指定する入力があった際に、左回り点灯時間間隔又は消灯時間間隔を記憶する左回り時間間隔記憶手段とをさらに備えており、右回り点灯又は消灯指示手段は、動作開始指示があった際に、記憶されている開始竿番号の漁灯から記憶されている右回り終了竿番号の漁灯まで、記憶されている右回り点灯時間間隔又は消灯時間間隔で右回りに自動的に順次点灯又は順次消灯する指示を行うように構成されており、左回り点灯又は消灯指示手段は、動作開始指示があった際に、記憶されている開始竿番号の漁灯から記憶されている左回り終了竿番号の漁灯まで、記憶されている左回り点灯時間間隔又は消灯時間間隔で左回りに自動的に順次点灯又は順次消灯する指示を行うように構成されていることがより好ましい。点灯間隔又は消灯間隔も右回り及び左回りそれぞれ別個により詳細に制御することができる。
【００１６】
なお、本明細書において、右回りとは左舷からオモテ（船首）を介して右舷の方向に回ること（又は右舷からトモ（船尾）を介して左舷の方向に回ること）を意味しており、左回りとは左舷からトモを介して右舷の方向に回ること（又は右舷からオモテを介して左舷の方向に回ること）を意味している。
【００１７】
コンピュータ制御部は、サイドローラエリア（ＳＲエリア）における漁灯の点灯動作又は消灯動作の方向を指定する入力があった際に、ＳＲエリア点灯動作又は消灯動作の方向を記憶するＳＲエリア点灯方向又は消灯方向記憶手段をさらに備えており、点灯又は消灯指示手段は、ＳＲエリアにおける漁灯について、記憶されているＳＲエリア点灯動作又は消灯動作の方向に基づいて、自動的に順次点灯又は順次消灯する指示を行うように構成されていることも好ましい。これにより、網入れが行われるＳＲエリアにおける点灯動作方向又は消灯動作方向をより細かく最適に制御することができる。
【００１８】
コンピュータ制御部は、ＳＲエリアにおける漁灯の点灯時間間隔又は消灯時間間隔を指定する入力があった際に、ＳＲエリア点灯時間間隔又は消灯時間間隔を記憶するＳＲエリア時間間隔記憶手段をさらに備えており、点灯又は消灯指示手段は、ＳＲエリアにおける漁灯について、記憶されているＳＲエリア点灯時間間隔又は消灯時間間隔で自動的に順次点灯又は順次消灯する指示を行うように構成されていることも好ましい。これにより、網入れが行われるＳＲエリアにおける点灯時間間隔又は消灯時間間隔を他の部分とは別個に最適に制御することができる。
【発明の効果】
【００１９】
本発明によれば、記憶されている開始竿番号及び終了竿番号に基づいて自動的に順次点灯又は順次消灯する動作が行われるので、漁灯の灯数が大幅に増大した場合にも、正確な順次点灯又は消灯制御を容易に行うことができる。
【００２０】
また、記憶されている点灯時間間隔又は消灯時間間隔で、自動的に順次点灯又は順次消灯されるので、漁灯の灯数が大幅に増大した場合にも、点灯間隔又は消灯間隔を精度良くかつ容易に制御することができる。
【図面の簡単な説明】
【００２１】
【図１】本発明の漁灯制御システムの一実施形態として、船上における複数の竿部材及び複数の漁灯の配置を概略的に示す平面図である。
【図２】図１の実施形態における漁灯制御システムにおける漁灯制御装置の電気的構成を表すブロック図である。
【図３】図２に示した漁灯制御装置におけるコンピュータ制御部の電気的構成を概略的に表すブロック図である。
【図４】図３に示したコンピュータ制御部の初期設定処理のフローを概略的に表すフローチャートである。
【図５】初期設定処理時に最初に表示される画面を示す図である。
【図６】竿番号の初期設定処理時に表示される画面を示す図である。
【図７】対象竿の初期設定処理時に表示される画面を示す図である。
【図８ａ】図３に示したコンピュータ制御部の自動点灯モード処理のフローを概略的に表すフローチャートである。
【図８ｂ】図３に示したコンピュータ制御部の自動点灯モード処理のフローを概略的に表すフローチャートである。
【図９】自動点灯モード処理時に表示される画面を示す図である。
【図１０】自動点灯モード処理時の点灯動作を説明する図である。
【図１１ａ】図３に示したコンピュータ制御部の自動消灯モード処理のフローを概略的に表すフローチャートである。
【図１１ｂ】図３に示したコンピュータ制御部の自動消灯モード処理のフローを概略的に表すフローチャートである。
【図１２】自動消灯モード処理時に表示される画面を示す図である。
【図１３】自動消灯モード処理時の消灯動作を説明する図である。
【発明を実施するための形態】
【００２２】
図１は本発明の漁灯制御システムの一実施形態として、船上における複数の竿部材及び複数の漁灯の配置を概略的に示している。
【００２３】
同図に示すように、例えばサンマ漁若しくはイカ漁用又はサンマ漁及びイカ漁兼用の漁船１０には、その舷側から突出して船回りに親竿部材１１ａを含む複数の竿部材１１が配置されており、これら複数の竿部材１１の各々には１つ又はそれ以上の漁灯（集漁灯）１２が取付けられている。なお、親竿部材１１ａは網巻上げ用のサイドローラを設置されている領域を示すサイドローラエリア（ＳＲエリア）１３の中央に位置している。ただし、本実施形態においては、ＳＲエリア１３が右舷に配置されているが（台湾方式）、ＳＲエリア１３が左舷に配置されていても良い（日本方式）。
【００２４】
各漁灯１２は、望ましくはＬＥＤ（発光ダイオード）漁灯であるが、その一部又は全てが白熱灯漁灯又はメタルハライド漁灯であっても良い。これら複数の漁灯１２には、それらの点灯及び消灯を制御するコンピュータ制御部を備え、操舵室等の漁船中央部に設けられた漁灯制御装置１４が電気的に接続されている。なお、図１においては、接続線の図示が省略されている。
【００２５】
図２は本実施形態における漁灯制御システムにおける漁灯制御装置１４の電気的構成を表しており、図３は漁灯制御装置１４におけるコンピュータ制御部の電気的構成を概略的に表している。
【００２６】
図２に示すように、漁灯制御装置１４は、内部にコンピュータ制御部を含む漁灯制御ボックス１５と、各漁灯毎に設けられており、手動で各漁灯の点灯及び消灯ができるように構成されている点消灯スイッチ１６と、漁船１０の電源である電力供給用の発電機の電圧変動を監視する負荷変動メータリレー１７と、各漁灯毎に設けられた漁灯用リレー１８とを備えている。この漁灯制御装置１４には、操舵室に設けられている例えばイカ釣機等の集中制御盤１９が電気的に接続されており、この集中制御盤１９によってイカ釣機の制御と漁灯の制御との両方が行えるように構成されている。本実施形態において、この集中制御盤１９には、一体型のタッチパネル式液晶ディスプレイが設けられており、後述するように種々のキー、図形、グラフ及び文字等の表示がなされ、操作者が必要箇所をタッチすることによって、入力が行われるように構成されている。
【００２７】
漁灯制御装置１４の漁灯制御ボックス１５内には、図３に示すごときコンピュータ制御部３０が設けられている。コンピュータ制御部３０は、同図に示すように、バス３０ａを介して互いに接続された中央制御装置（ＣＰＵ）３０ｂと、ランダムアクセスメモリ（ＲＡＭ）３０ｃと、フラッシュメモリ３０ｄと、メモリカードドライブ３０ｅと、入出力インタフェース３０ｆとを少なくとも備えたコンピュータ及びこれを作動させるプログラムから構成されている。
【００２８】
ＣＰＵ３０ｂは、フラッシュメモリ３０ｄに記憶されているオペレーションシステム（ＯＳ）やブートプログラム等の基本プログラムに従ってこのフラッシュメモリ３０ｄに記憶されているプログラムを実行して本実施形態の処理を行うように構成されている。また、ＣＰＵ３０ｂは、ＲＡＭ３０ｃ、挿入されたメモリカードの読み書きを行うメモリカードドライブ３０ｅ、及び入出力インタフェース３０ｆの動作を制御するように構成されている。
【００２９】
ＲＡＭ３０ｃはこのコンピュータ制御部３０のメインメモリとして使用され、フラッシュメモリ３０ｄ又はメモリカードドライブ３０ｅから転送されたプログラムやデータを保存するように構成されている。また、このＲＡＭ３０ｃは、プログラム実行時の各種データが一時的に保存されるワークエリアとしても使用される。
【００３０】
入出力インタフェース３０ｆは、集中制御盤１９のタッチパネルディスプレイに対してＣＰＵ３０ｂ又はＲＡＭ３０ｃからの表示データを出力すると共に、その入力データをＣＰＵ３０ｂ又はＲＡＭ３０ｃへ転送し、各漁灯毎に設けられた点消灯スイッチ１６からの手動制御信号と、負荷変動メータリレー１７からの負荷変動注意信号及び／又は警告信号とを受信してＣＰＵ３０ｂ又はＲＡＭ３０ｃへ転送すると共に、ＣＰＵ３０ｂ又はＲＡＭ３０ｃからの各漁灯毎に設けられた漁灯用リレー１８への出力データを信号として送信するように構成されている。
【００３１】
このような構成のコンピュータにおいて、ＣＰＵ３０ｂは、プログラム起動時は、まず、ＲＡＭ３０ｃ内にプログラム記憶領域、データ記憶領域及びワークエリアを確保し、フラッシュメモリ３０ｄからプログラム及びデータを取り込んで、プログラム記憶領域及びデータ記憶領域に格納する。次いで、このプログラム記憶領域に格納されたプログラムに基づいて各釣機の処理フローを実行する。なお、ＣＰＵ３０ｂがフラッシュメモリ３０ｄからプログラム及びデータを直接的に取り込んで、このプログラムに基づいて漁灯制御の処理フローを実行しても良い。
【００３２】
図４はこのコンピュータ制御部３０の初期設定処理のフローを概略的に表しており、図５はその場合に集中制御盤１９のディスプレイに最初に表示される画面である。
【００３３】
操作者が、ディスプレイ上で図５の「竿番号設定ボタン」をタッチすると、竿番号の初期設定が行われる（ステップＳ１）。この竿番号の初期設定によれば、漁船１０の船回りに設置されている複数の全ての竿部材１１について、竿番号が付与される。図６はその場合に集中制御盤１９のディスプレイに表示される画面である。本実施形態においては、左舷の最もオモテ側の竿番号は「１」に設定されており、右舷の最もオモテ側の竿番号も「１」に設定されている。操作者が集中制御盤１９のディスプレイの図示しない数値入力用ポップアップ画面から左舷のトモ側の最終の竿番号と右舷のトモ側の最終の竿番号とを入力することにより、左舷の全ての竿部材１１の竿番号が連続番号で設定され、さらに、右舷の全ての竿部材１１の竿番号が連続番号で設定されて、フラッシュメモリ３０ｄに記憶される。次いで、操作者がＳＲエリア１３における最もオモテ側の竿番号とＳＲエリア１３における最もトモ側の竿番号とを入力することにより、ＳＲエリア１３の竿部材１１が設定され、フラッシュメモリ３０ｄに記憶される。
【００３４】
操作者が、ディスプレイ上で図５の「対象竿設定ボタン」をタッチすると、制御対象竿の初期設定が行われる（ステップＳ２）。この対象竿の初期設定によれば、点灯／消灯制御の対象である竿部材１１が竿番号から設定される。図７はその場合に集中制御盤１９のディスプレイに表示される画面である。この画面上において、操作者が、左舷又は右舷別にディスプレイ上の番号をタッチすればその竿部材１１は表示色が変化し（例えば図７に示すグレー色の状態から青色（右舷）又は赤色（左舷）に変化し）、制御の対象竿となり、結果がフラッシュメモリ３０ｄに記憶される。なお、グレー色の状態の竿番号は制御の非対象竿に対応する。
【００３５】
操作者が、ディスプレイ上で図５の「その他の設定ボタン」をタッチすると、その他の初期設定が行われる（ステップＳ３）。その他の初期設定としては、例えば、点灯により電源（発電機）が過負荷状態となった場合の点灯間隔用のタイマの延長時間の設定、自動点灯モード時の逆回りの消灯間隔の設定、自動消灯モード時の逆回りの点灯間隔の設定、制御の非対象竿について動作間隔をカウントするか否かの設定等が操作者によって行われ、その入力結果がフラッシュメモリ３０ｄに記憶される。
【００３６】
初期設定が終了した後に自動的に又は操作者が手動で選択することによって自動点灯モード処理が行われる。図８ａ及び図８ｂはこの自動点灯モード処理のフローを概略的に表しており、図９はその場合に集中制御盤１９のディスプレイに表示される画面を表している。
【００３７】
この自動点灯モード処理において、操作者がディスプレイ上の「通常点灯ボタン」をタッチする毎に通常点灯モードのＯＮ／ＯＦＦが切り替わる。操作者が、「通常点灯ボタン」をＯＮとして、右回りの点灯間隔及び左回りの点灯間隔の数値を入力したとする。この場合、コンピュータ制御部３０により、通常点灯モードか否かが判別され（図８ａのステップＳ１０）、通常点灯モードであると判別された場合（ＹＥＳの場合）、入力された右回りの点灯間隔及び左回りの点灯間隔がＲＡＭ３０ｃのデータ記憶領域又はフラッシュメモリ３０ｄに記憶される（図８ａのステップＳ１１）。ただし、通常点灯モードではないと判別された場合（ＮＯの場合）、ステップＳ１１の処理が行われることなく、処理は図８ａのステップＳ１２へ進む。
【００３８】
操作者がディスプレイ上の「ＳＲ消灯ボタン」をタッチする毎にＳＲエリア消灯モードのＯＮ／ＯＦＦが切り替わる。操作者が、「ＳＲ消灯ボタン」をＯＮとして、ＳＲエリアの消灯動作方向を選択すると共に、消灯間隔の数値を入力したとする。消灯動作方向の選択は、本実施形態においては、矢印で示されている「消灯動作方向ボタン」をタッチする毎にＳＲエリアの消灯動作方向が、（Ａ）オモテ及びトモから同時に中央部へ向かって順次消灯する、（Ｂ）オモテから中央部へ向かって順次消灯した後にトモから中央部へ向かって順次消灯する、（Ｃ）トモから中央部へ向かって順次消灯した後にオモテから中央部へ向かって順次消灯する、（Ｄ）中央部から同時にオモテ及びトモへ向かって順次消灯する、（Ｅ）中央部からオモテへ向かって順次消灯した後に中央部からトモへ向かって順次消灯する、（Ｆ）中央部からトモへ向かって順次消灯した後に中央部からオモテへ向かって順次消灯する、（Ｇ）オモテからトモへ向かって順次消灯する、（Ｈ）トモからオモテへ向かって順次消灯する、次いで、最初の（Ａ）オモテ及びトモから同時に中央部へ向かって順次消灯する方向へと変化することによって行われる。この場合、コンピュータ制御部３０により、ＳＲエリア消灯モードか否かが判別され（図８ａのステップＳ１２）、ＳＲエリア消灯モードと判別された場合（ＹＥＳの場合）、入力されたＳＲエリアの消灯動作方向及び消灯間隔がＲＡＭ３０ｃのデータ記憶領域又はフラッシュメモリ３０ｄに記憶される（図８ａのステップＳ１３）。ただし、ＳＲエリア消灯モードではないと判別された場合（ＮＯの場合）、ステップＳ１３の処理が行われることなく、処理は図８ａのステップＳ１４へ進む。
【００３９】
操作者がディスプレイ上の「ＳＲ点灯ボタン」をタッチする毎にＳＲエリア点灯モードのＯＮ／ＯＦＦが切り替わる。ただし、「ＳＲ消灯ボタン」及び「ＳＲ点灯ボタン」の両方が同時にＯＮとなることはない。操作者が、「ＳＲ点灯ボタン」をＯＮとして、ＳＲエリアの点灯動作方向を選択すると共に、点灯間隔の数値を入力したとする。点灯動作方向の選択は、本実施形態においては、矢印で示されている「点灯動作方向ボタン」をタッチする毎にＳＲエリアの点灯動作方向が、（ａ）オモテ及びトモから同時に中央部へ向かって順次点灯する、（ｂ）オモテから中央部へ向かって順次点灯した後にトモから中央部へ向かって順次点灯する、（ｃ）トモから中央部へ向かって順次点灯した後にオモテから中央部へ向かって順次点灯する、（ｄ）中央部から同時にオモテ及びトモへ向かって順次点灯する、（ｅ）中央部からオモテへ向かって順次点灯した後に中央部からトモへ向かって順次点灯する、（ｆ）中央部からトモへ向かって順次点灯した後に中央部からオモテへ向かって順次点灯する、（ｇ）オモテからトモへ向かって順次点灯する、（ｈ）トモからオモテへ向かって順次点灯する、次いで、最初の（ａ）オモテ及びトモから同時に中央部へ向かって順次点灯する方向へと変化することによって行われる。この場合、コンピュータ制御部３０により、ＳＲエリア点灯モードか否かが判別され（図８ａのステップＳ１４）、ＳＲエリア点灯モードと判別された場合（ＹＥＳの場合）、入力されたＳＲエリアの点灯動作方向及び点灯間隔がＲＡＭ３０ｃのデータ記憶領域又はフラッシュメモリ３０ｄに記憶される（図８ａのステップＳ１５）。ただし、ＳＲエリア点灯モードではないと判別された場合（ＮＯの場合）、ステップＳ１５の処理が行われることなく、処理は図８ａのステップＳ１６へ進む。
【００４０】
次いで、操作者が、自動点灯モードにおける点灯開始竿番号と、右回り終了竿番号と、左回り終了竿番号とを入力したとする。この場合、コンピュータ制御部３０により、入力された点灯開始竿番号と、右回り及び左回り終了竿番号とがＲＡＭ３０ｃのデータ記憶領域又はフラッシュメモリ３０ｄに記憶される（図８ａのステップＳ１６）。
【００４１】
次いで、操作者が、「運転ボタン」、「停止ボタン」又は「逆運転ボタン」をＯＮとしたとする。この場合、コンピュータ制御部３０により、まず、「運転ボタン」がＯＮか否かが判別され（図８ａのステップＳ１７）、「運転ボタン」がＯＮと判別された場合（ＹＥＳの場合）、「停止ボタン」がＯＮか否かが判別される（図８ａのステップＳ１８）。「停止ボタン」がＯＦＦと判別された場合（ＮＯの場合）、「逆運転ボタン」がＯＮか否かが判別され（図８ａのステップＳ１９）、「逆運転ボタン」がＯＮと判別された場合（ＹＥＳの場合）、逆運転処理が行われる（図８ａのステップＳ２０）。このステップＳ２０の逆運転処理については後述する。また、「運転ボタン」がＯＦＦと判別された場合（ＮＯの場合）及び「停止ボタン」がＯＮと判別された場合（ＹＥＳの場合）、後述するように、図８ｂのステップＳ２４の処理が行われる。
【００４２】
コンピュータ制御部３０により、ステップＳ１９において、「逆運転ボタン」がＯＦＦであると判別された場合（ＮＯの場合）、その時の運転モードが通常点灯モードか否かが判別される（図８ｂのステップＳ２１）。
【００４３】
通常点灯モードと判別された場合（ＹＥＳの場合）、ＲＡＭ３０ｃのデータ記憶領域又はフラッシュメモリ３０ｄに記憶されている開始竿番号から右回り及び左回りに各竿部材１１の漁灯１２について順次点灯する処理が実施される（図８ｂのステップＳ２２）。この場合の右回り及び左回りの点灯間隔は、それぞれ、ＲＡＭ３０ｃのデータ記憶領域又はフラッシュメモリ３０ｄに記憶されている右回りの点灯間隔及び左回りの点灯間隔となる。
【００４４】
次いで、コンピュータ制御部３０により、現在、点灯処理を行っている竿番号がＳＲエリア１３内の竿番号であるか否かが判別される（図８ｂのステップＳ２３）。この判別は、初期設定されてフラッシュメモリ３０ｄに記憶されているＳＲエリア１３の最もオモテ側の竿番号と最もトモ側の竿番号とを用いて行われる。ＳＲエリア１３内の竿番号ではないと判別された場合（ＮＯの場合）、ステップＳ２２の処理が繰り返され順次点灯が継続する。
【００４５】
コンピュータ制御部３０により、ステップＳ２３において、ＳＲエリア１３の竿番号であると判別された場合（ＹＥＳの場合）及びステップＳ２１において通常点灯モードではないと判別された場合（ＮＯの場合）、ＳＲエリア点灯モードであるか否かが判別される（図８ｂのステップＳ２４）。
【００４６】
コンピュータ制御部３０により、このステップＳ２４においてＳＲエリア点灯モードであると判別された場合（ＹＥＳの場合）、ＳＲエリア１３における各竿部材１１の漁灯１２について右回り及び左回りに順次点灯する処理が実施される（図８ｂのステップＳ２５）。この場合の点灯動作方向は、選択されてＲＡＭ３０ｃのデータ記憶領域又はフラッシュメモリ３０ｄに記憶されている点灯動作方向となり、点灯間隔は、ＲＡＭ３０ｃのデータ記憶領域又はフラッシュメモリ３０ｄに記憶されている右回りのＳＲエリア点灯間隔及び左回りのＳＲエリア点灯間隔となる。
【００４７】
コンピュータ制御部３０により、ステップＳ２４においてＳＲエリア点灯モードではないと判別された場合（ＮＯの場合）、ＳＲエリア消灯モードであるか否かが判別される（図８ｂのステップＳ２６）。
【００４８】
コンピュータ制御部３０により、このステップＳ２６においてＳＲエリア消灯モードであると判別された場合（ＹＥＳの場合）、ＳＲエリア１３における各竿部材１１の漁灯１２について右回り及び左回りに順次消灯する処理が実施される（図８ｂのステップＳ２７）。この場合の消灯動作方向は、選択されてＲＡＭ３０ｃのデータ記憶領域又はフラッシュメモリ３０ｄに記憶されている消灯動作方向となり、消灯間隔は、ＲＡＭ３０ｃのデータ記憶領域又はフラッシュメモリ３０ｄに記憶されている右回りのＳＲエリア消灯間隔及び左回りのＳＲエリア消灯間隔となる。
【００４９】
コンピュータ制御部３０により、ステップＳ２６においてＳＲエリア消灯モードではないと判別された場合（ＮＯの場合）、ステップＳ２５及びステップＳ２７の処理が終了した場合、さらに、図８ａのステップＳ２０の逆運転処理が終了した場合に、現在処理している竿番号が右回り及び左回り別にディスプレイに表示される（図８ｂのステップＳ２８）。
【００５０】
その後、コンピュータ制御部３０により、現在処理している竿番号が、ＲＡＭ３０ｃのデータ記憶領域又はフラッシュメモリ３０ｄに記憶されている右回り及び左回りの点灯を終了させる竿番号であるかどうかが判別される（図８ｂのステップＳ２９）。終了竿番号ではないと判別された場合（ＮＯの場合）、図８ａのステップＳ１７からの処理が繰り返して実行される。ステップＳ２９において、右回り及び左回りとも、終了竿番号であると判別された場合（ＹＥＳの場合）、この自動点灯モード処理を終了する。
【００５１】
なお、図８ａのステップＳ２０の逆運転処理においては、通常点灯モード及びＳＲエリア点灯モードにおいて逆運転指示された場合には逆回りで順次消灯が行われ、ＳＲエリア消灯モードで逆運転指示された場合には逆回りで順次点灯が行われる。
【００５２】
図１０は以上述べた自動点灯モード処理における点灯動作を説明している。図１０（Ａ）に示すように、この自動点灯モード処理によれば、船の中央に限定されない任意の位置に設定可能な開始竿番号の竿部材から順次に自動的に点灯がなされる。この場合、同時の点灯ではなく、順次の点灯であるため、発電機の負担が軽減され、ストール発生等を防止することができる。発電機に余裕がある場合は点灯間隔を短く、余裕のない場合は点灯間隔を長く設定することができる。
【００５３】
なお、コンピュータ制御部３０が負荷変動メータリレー１７から負荷変動注意信号を受信した際に、アラームを出し、これにより手動又は自動によって順次の点灯間隔を長くすることによって発電機の過負荷を軽減させることも可能である。さらに、コンピュータ制御部３０が負荷変動メータリレー１７から負荷変動警告信号を受信した際に、アラームを出し、これにより手動又は自動によって順次の点灯動作を停止させることによって発電機の過負荷をさらに軽減させることも可能である。点灯動作を停止した後、負担軽減を確認してこの順次点灯動作を再開する。即ち、発電機に負荷がかかり、電圧・周波数特性が定常状態から外れた場合に、順次の点灯動作を一端中断する。ただし、既に点灯済みの漁灯は消灯しない。電圧・周波数特性が定常状態に戻った場合に、図示されていない再開ボタン等を作動させてこの順次点灯動作を再開させる。なお、負荷変動メータリレー１７による負荷変動注意信号及び負荷変動警告信号発生の閾値はあらかじめ設定可能である。
【００５４】
この自動点灯モード処理においては、右回り及び左回りの点灯処理終了竿番号が別個に任意に設定可能であり、さらに、右回り及び左回りの順次点灯の間隔も別個に任意に設定可能である。さらにまた、初期設定において、点灯不要の竿部材１１を設定可能であり、点灯不要の漁灯は飛ばして順次点灯される。
【００５５】
図１０（Ａ）に示すように点灯不要の竿部材を除く全ての漁灯が点灯した後、図１０（Ｂ）に示すように、サイドローラ上（ＳＲエリア１３）の竿部材１１の漁灯１２が順次消灯され、この部分に網が入れられる。網を入れ終わったら、ＳＲエリア１３における竿部材１１の漁灯１２が順次再点灯される。このＳＲエリア１３においては、点灯動作方向、並びに右回り（オモテ回り）及び左回り（トモ回り）点灯間隔が詳細に制御可能であり、それ以外の位置の漁灯とは異なる点灯制御が可能となっている。
【００５６】
自動点灯モード処理が終了した後に自動的に又は操作者が手動で選択することによって自動消灯モード処理が行われる。図１１ａ及び図１１ｂはこの自動消灯モード処理のフローを概略的に表しており、図１２はその場合に集中制御盤１９のディスプレイに表示される画面を表している。
【００５７】
この自動消灯モード処理において、操作者がディスプレイ上の「通常消灯ボタン」をタッチする毎に通常消灯モードのＯＮ／ＯＦＦが切り替わる。操作者が、「通常消灯ボタン」をＯＮとして、右回りの消灯間隔及び左回りの消灯間隔の数値を入力したとする。この場合、コンピュータ制御部３０により、通常消灯モードか否かが判別され（図１１ａのステップＳ３０）、通常消灯モードであると判別された場合（ＹＥＳの場合）、入力された右回りの消灯間隔及び左回りの消灯間隔がＲＡＭ３０ｃのデータ記憶領域又はフラッシュメモリ３０ｄに記憶される（図１１ａのステップＳ３１）。ただし、通常消灯モードではないと判別された場合（ＮＯの場合）、ステップＳ３１の処理が行われることなく、処理は図１１ａのステップＳ３２へ進む。
【００５８】
操作者がディスプレイ上の「ＳＲ消灯ボタン」をタッチする毎にＳＲエリア消灯モードのＯＮ／ＯＦＦが切り替わる。操作者が、「ＳＲエリア消灯ボタン」をＯＮとして、ＳＲエリアの消灯動作方向を選択すると共に、オモテ側及びトモ側の消灯間隔の数値を入力したとする。消灯動作方向の選択は、本実施形態においては、矢印で示されている「消灯動作方向ボタン」をタッチする毎にＳＲエリアの消灯動作方向が、本実施形態においては、（Ａ）オモテ及びトモから同時に中央部へ向かって順次消灯する、（Ｂ）オモテから中央部へ向かって順次消灯した後にトモから中央部へ向かって順次消灯する、（Ｃ）トモから中央部へ向かって順次消灯した後にオモテから中央部へ向かって順次消灯する、（Ｄ）中央部から同時にオモテ及びトモへ向かって順次消灯する、（Ｅ）中央部からオモテへ向かって順次消灯した後に中央部からトモへ向かって順次消灯する、（Ｆ）中央部からトモへ向かって順次消灯した後に中央部からオモテへ向かって順次消灯する、（Ｇ）オモテからトモへ向かって順次消灯する、（Ｈ）トモからオモテへ向かって順次消灯する、次いで、最初の（Ａ）オモテ及びトモから同時に中央部へ向かって順次消灯する方向へと変化することによって行われる。この場合、コンピュータ制御部３０により、ＳＲエリア消灯モードか否かが判別され（図１１ａのステップＳ３２）、ＳＲエリア消灯モードと判別された場合（ＹＥＳの場合）、入力されたＳＲエリアの消灯動作方向がＲＡＭ３０ｃのデータ記憶領域又はフラッシュメモリ３０ｄに記憶される（図１１ａのステップＳ３３）。さらに、入力されたＳＲエリアのオモテ側の消灯間隔及びトモ側の消灯間隔が、ＲＡＭ３０ｃのデータ記憶領域又はフラッシュメモリ３０ｄに記憶される（図１１ａのステップＳ３４）。ただし、ＳＲエリア消灯モードではないと判別された場合（ＮＯの場合）、ステップＳ３３及びＳ３４の処理が行われることなく、処理は図１１ａのステップＳ３５へ進む。
【００５９】
次いで、操作者が、自動消灯モードにおける消灯開始竿番号と、右回り終了竿番号と、左回り終了竿番号とを入力したとする。この場合、コンピュータ制御部３０により、入力された消灯開始竿番号と、右回り及び左回り終了竿番号とがＲＡＭ３０ｃのデータ記憶領域又はフラッシュメモリ３０ｄに記憶される（図１１ａのステップＳ３５）。
【００６０】
次いで、操作者が、「運転ボタン」、「停止ボタン」又は「逆運転ボタン」をＯＮとしたとする。この場合、コンピュータ制御部３０により、まず、「運転ボタン」がＯＮか否かが判別され（図１１ａのステップＳ３６）、「運転ボタン」がＯＮと判別された場合（ＹＥＳの場合）、「停止ボタン」がＯＮか否かが判別される（図１１ａのステップＳ３７）。「停止ボタン」がＯＦＦと判別された場合（ＮＯの場合）、「逆運転ボタン」がＯＮか否かが判別され（図１１ａのステップＳ３８）、「逆運転ボタン」がＯＮと判別された場合（ＹＥＳの場合）、逆運転処理が行われる（図１１ａのステップＳ３９）。このステップＳ３９の逆運転処理については後述する。また、「運転ボタン」がＯＦＦと判別された場合（ＮＯの場合）及び「停止ボタン」がＯＮと判別した場合（ＹＥＳの場合）、後述するように、図１１ｂのステップＳ４３の処理が行われる。
【００６１】
コンピュータ制御部３０により、ステップＳ３８において、「逆運転ボタン」がＯＦＦであると判別された場合（ＮＯの場合）、その時の運転モードが通常消灯モードか否かが判別される（図１１ｂのステップＳ４０）。
【００６２】
通常消灯モードと判別された場合（ＹＥＳの場合）、ＲＡＭ３０ｃのデータ記憶領域又はフラッシュメモリ３０ｄに記憶されている開始竿番号から右回り及び左回りに各竿部材１１の漁灯１２について順次消灯する処理が実施される（図１１ｂのステップＳ４１）。この場合の右回り及び左回りの消灯間隔は、それぞれ、ＲＡＭ３０ｃのデータ記憶領域又はフラッシュメモリ３０ｄに記憶されている右回りの消灯間隔及び左回りの消灯間隔となる。
【００６３】
次いで、コンピュータ制御部３０により、現在、消灯処理を行っている竿番号がＳＲエリア１３内の竿番号であるか否かが判別される（図１１ｂのステップＳ４２）。この判別は、初期設定されてフラッシュメモリ３０ｄに記憶されているＳＲエリア１３の最もオモテ側の竿番号と最もトモ側の竿番号とを用いて行われる。ＳＲエリア１３内の竿番号ではないと判別された場合（ＮＯの場合）、ステップＳ４１の処理が繰り返され順次消灯が継続する。
【００６４】
コンピュータ制御部３０により、ステップＳ４２において、ＳＲエリア１３の竿番号であると判別された場合（ＹＥＳの場合）及びステップＳ２１において通常点灯モードではないと判別された場合（ＮＯの場合）、ＳＲエリア消灯モードであるか否かが判別される（図１１ｂのステップＳ４３）。
【００６５】
コンピュータ制御部３０により、このステップＳ４３においてＳＲエリア消灯モードであると判別された場合（ＹＥＳの場合）、ＳＲエリア１３における各竿部材１１の漁灯１２について右回り及び左回りに順次消灯する処理が実施される（図１１ｂのステップＳ４４）。この場合の消灯動作方向は、選択されてＲＡＭ３０ｃのデータ記憶領域又はフラッシュメモリ３０ｄに記憶されている消灯動作方向となり、オモテ側の消灯間隔及びトモ側の消灯間隔は、それぞれ、ＲＡＭ３０ｃのデータ記憶領域又はフラッシュメモリ３０ｄに記憶されているオモテ側のＳＲエリア消灯間隔及びトモ側のＳＲエリア消灯間隔となる。
【００６６】
コンピュータ制御部３０により、ステップＳ４３においてＳＲエリア消灯モードではないと判別された場合（ＮＯの場合）、ステップＳ４４の処理が終了した場合、さらに、図１１ａのステップＳ３９の逆運転処理が終了した場合に、現在処理している竿番号が右回り及び左回り別にディスプレイに表示される（図１１ｂのステップＳ４５）。
【００６７】
その後、コンピュータ制御部３０により、現在処理している竿番号が、ＲＡＭ３０ｃのデータ記憶領域又はフラッシュメモリ３０ｄに記憶されている右回り及び左回りの点灯を終了させる竿番号であるかどうかが判別される（図１１ｂのステップＳ４６）。終了竿番号ではないと判別された場合（ＮＯの場合）、図１１ａのステップＳ３６からの処理が繰り返して実行される。ステップＳ４６において、右回り及び左回りとも、終了竿番号であると判別された場合（ＹＥＳの場合）、この自動消灯モード処理を終了する。
【００６８】
なお、図１１ａのステップＳ３９の逆運転処理においては、通常消灯モード及びＳＲエリア消灯モードで逆運転指示された場合には逆回りで順次点灯が行われる。
【００６９】
図１３は以上述べた自動消灯モード処理における消灯動作を説明している。図１３（Ａ）に示すように、この自動消灯モード処理によれば、船の中央に限定されない任意の位置に設定可能な開始竿番号の竿部材から右回り（オモテ回り）及び左回り（トモ回り）に順次に自動的に消灯がなされる。この場合、同時の消灯ではなく順次の消灯であり、左舷の魚をオモテ及びトモも両方から右舷へ回す。この場合、順次消灯の間隔が短かく早すぎると魚が付いてこなくなるため、慎重に事前設定しておく。緊急時には、点消灯スイッチ１６を手動で操作し、順次消灯動作を停止してタイミングを遅らせるなどにより魚の動きに合わせた消灯調整が可能である。なお、消灯開始竿部材の位置が任意であるため、魚の動きに合わせた位置から消灯を行うことができる。
【００７０】
消灯間隔が著しく短いと、発電機の負荷が急激に軽くなってしまうため、負荷変動が急激に生じないように、タイミング（間隔）を調整して順次消灯動作をさせることが望ましい。
【００７１】
なお、コンピュータ制御部３０が負荷変動メータリレー１７から負荷変動注意信号を受信した際に、アラームを出し、これにより手動又は自動によって順次の消灯間隔を長くすることによって発電機の負担を軽減させることも可能である。さらに、コンピュータ制御部３０が負荷変動メータリレー１７から負荷変動警告信号を受信した際に、アラームを出し、これにより手動又は自動によって順次の消灯動作を停止させることによって発電機の負担をさらに軽減させることも可能である。消灯動作を停止した後、負担軽減を確認してこの順次消灯動作を再開する。即ち、発電機に負荷がかかり、電圧・周波数特性が定常状態から外れた場合に、順次の消灯動作を一端中断する。ただし、既に消灯済みの漁灯は再点灯しない。電圧・周波数特性が定常状態に戻った場合に、図示されていない再開ボタン等を作動させてこの順次消灯動作を再開させる。なお、負荷変動メータリレー１７による負荷変動注意信号及び負荷変動警告信号発生の閾値はあらかじめ設定可能である。
【００７２】
この自動消灯モード処理においては、右回り及び左回りの消灯処理終了竿番号が別個に任意に設定可能であり、さらに、右回り及び左回りの消灯点灯の間隔も別個に任意に設定可能である。さらにまた、初期設定において、消灯不要の竿部材１１を設定可能であり、消灯不要の漁灯は飛ばして順次消灯される。
【００７３】
図１３（Ａ）に示すように消灯不要の竿部材を除いて順次消灯が行われ、サイドローラの位置まで消灯した後、図１３（Ｂ）に示すように、サイドローラ上（ＳＲエリア１３）の竿部材１１の漁灯１２は、手動又は自動により順次消灯され、親竿部材１１ａ方向に魚が誘導される。親竿部材１１ａの両脇の２本の竿部材１１の位置の手前まで消灯が行われた後、これら親竿部材１１ａ及び両脇の２本の竿部材１１を点灯した状態で網が揚げられる。このようにＳＲエリア１３においては、消灯動作方向、並びに右回り（オモテ回り）及び左回り（トモ回り）消灯間隔が詳細に制御可能であり、それ以外の位置の漁灯とは異なる消灯制御が可能となっている。
【００７４】
以上詳細に説明したように、本実施形態によれば、船回りに配置された竿部材１１に竿番号があらかじめ設定されており、この竿番号により点灯動作又は消灯動作を開始すべき漁灯１２の竿部材１１を指定する入力がなされると、開始竿番号が記憶され、竿番号により右回り及び左回りの点灯動作又は消灯動作を終了すべき漁灯１２の竿部材１１を指定する入力がなされると、右回り及び左回り終了竿番号が記憶され、動作開始指示があると、記憶されている開始竿番号の漁灯１２から記憶されている終了竿番号の漁灯１２まで、右回り及び左回りで自動的に順次点灯又は順次消灯する動作が行われる。このように、記憶されている開始竿番号並びに右回り及び左回りの終了竿番号に基づいて自動的に順次点灯又は順次消灯する動作が行われるので、漁灯１２の灯数が大幅に増大した場合にも、正確な順次点灯又は消灯制御を容易に行うことができる。また、記憶されている点灯時間間隔又は消灯時間間隔で、自動的に順次点灯又は順次消灯されるので、漁灯１２の灯数が大幅に増大した場合にも、点灯間隔又は消灯間隔を精度良くかつ容易に制御することができる。
【００７５】
また、本実施形態によれば、網入れが行われるＳＲエリア１３における漁灯１２の点灯動作方向及び消灯動作方向を種々のパターンに詳細にかつ最適に制御することができる。さらに、ＳＲエリア１３における漁灯１２のオモテ回り及びトモ回りの点灯時間間隔及び消灯時間間隔を他の部分とは別個に最適に制御することができる。
【００７６】
さらに、本実施形態では、漁灯の自動点灯及び自動消灯の設定や制御等を、操舵室に設けられているイカ釣機等の集中制御盤１９の画面を見ながら行えるため、操作が非常に容易である。しかも、イカ釣機等の集中制御盤１９を共用できるため、省スペース化に大きく寄与する。
【００７７】
さらにまた、本実施形態では、発電機の電圧変動を監視する負荷変動メータリレー１７からの負荷変動注意信号及び／又は負荷変動警告信号に応じて、順次点灯間隔及び順次消灯間隔を調整したり、順次点灯及び順次消灯動作を停止させているため、発電機の過負荷となるおそれがない。
【００７８】
また、点消灯スイッチ１６により、各漁灯や特定の漁灯の点灯及び消灯の手動操作、及び自動／手動の切り替え操作を行えるため、従来の漁灯制御と同様の制御も可能である。
【００７９】
さらに、ＬＥＤ漁灯を用いている場合に、各漁灯の調光を操舵室に設けられている集中制御盤１９から制御できるように構成することも可能である。
【００８０】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００８１】
１０  漁船
１１  竿部材
１１ａ  親竿部材
１２  漁灯（集漁灯）
１３  ＳＲエリア
１４  漁灯制御装置
１５  漁灯制御ボックス
１６  点消灯スイッチ
１７  負荷変動メータリレー
１８  漁灯用リレー
１９  集中制御盤
３０  コンピュータ制御部
３０ａ  バス
３０ｂ  ＣＰＵ
３０ｃ  ＲＡＭ
３０ｄ  フラッシュメモリ
３０ｅ  メモリカードドライブ
３０ｆ  入出力インタフェース
【図１】
0005911529.tif 000002
【図２】
0005911529.tif 000003
【図３】
0005911529.tif 000004
【図４】
0005911529.tif 000005
【図５】
0005911529.tif 000006
【図６】
0005911529.tif 000007
【図７】
0005911529.tif 000008
【図８ａ】
0005911529.tif 000009
【図８ｂ】
0005911529.tif 000010
【図９】
0005911529.tif 000011
【図１０】
0005911529.tif 000012
【図１１ａ】
0005911529.tif 000013
【図１１ｂ】
0005911529.tif 000014
【図１２】
0005911529.tif 000015
【図１３】
0005911529.tif 000016